(57)【要約】【課題】防水が必須でない環境での使用に便利で、１個の締め付け部により、簡単に取り付け外しが可能で、接続部のカシメ処理を不要とした絶縁カバー付の電線接続コネクタを提供することである。【解決手段】本発明による電線コネクタは、接続される電線に沿って跨って配置され、且つ、コネクタ蓋いの締め付けによる押圧に対応して柔軟性をもって変形することで電線に密接触するところの柔軟性導電性の接続介助体と、柔軟性導電性の接続介助体を内包する電線内挿用溝を有し、且つ、電線内挿用溝を向き合わせるように存在する上下のカバーと、上下のカバーを押し付けるように締め付ける締め付け部とを有している。【選択図】図１
2007109527.tif 000002
【特許請求の範囲】
【請求項１】
電線コネクタに内挿されることで接続される複数の電線に沿って跨って配置され、且つ、前記電線コネクタのカバーの締め付けによる押圧に対応して柔軟性をもって変形することで前記電線に密接触するところの柔軟性導電性の接続介助体と、前記接続介助体を内包する電線内挿用溝を有し、且つ、前記電線内挿用溝を向き合わせるように存在する上側及び下側の前記カバーと、上側及び下側の前記カバーを押し付けるように締め付ける締め付け部とを有することを特徴とする電線コネクタ。
【請求項２】
前記接続介助体は、金属の薄板または細線による網で構成されていることを特徴とする請求項１記載の電線コネクタ。
【請求項３】
前記接続介助体は、金属の薄板または細線による網による第１接続介助体と、第１接続介助体をカバーする第２接続介助体と、第１接続介助体と第２接続介助体の間に挿入された柔軟性を有する変形体を有することを特徴とする請求項１記載の電線コネクタ。
【請求項４】
前記第２接続介助体は、円筒状又は、矩形枡或いは方形筒状の形状をしていることを特徴とする請求項３記載の電線コネクタ。
【請求項５】
前記電線内挿用溝の前記電線の被覆部が当たる部分には、前記電線の被覆部に噛み込む爪または刃状の突起部を有するか、又は、前記電線の被覆部と摩擦接触をする凹凸部を有することで、電線がすべり抜けることを防止するための噛みこみ部を有することを特徴とする請求項１から請求項４のいずれか一つに記載の電線コネクタ。
【請求項６】
前記電線内挿用溝は、円形、又は半形状のひし形、又は半形状の４５度傾斜方形、又は矩形の断面形状を有することを特徴とする請求項１から請求項５のいずれか一つに記載の電線コネクタ。
【請求項７】
上側及び下側の前記カバーに、前記カバーの変形を防止する強化板を付設したことを特徴とする請求項１から請求項６のいずれか一つに記載の電線コネクタ。
【請求項８】
上側の前記カバーは、前記電線ごとに個別に存在する第１のカバーと、前記締め付け部の操作による押し圧を受けて締め付けられる第２のカバーを有し、前記第１のカバーと前記第２のカバーの間隔は、両者の間に介挿された柔軟性を有する変形体により自在になることで、異なる径を有する前記電線を接続することを可能としたことを特徴とする請求項１から請求項７のいずれか一つに記載の電線コネクタ。
【発明の詳細な説明】
【技術分野】
【０００１】
本発明は、ワイヤ又はケーブルなどの電線を接続するためのものであって、ケーブルの被覆部を剥がした電線であれば、接続具をカシメルこともなく、一度の締め付けのみで、極めて簡単且つ短時間に接続を行うことができ、且つ、製造上も容易な電線コネクタに関するものである。
【背景技術】
【０００２】
従来、電気工事において、電線を接続した場合には、感電からの防御の目的で、電線の金属部の露出部（接続部）を絶縁体で蓋うことが行われている。その手段として色々の例を以下に示す。最も手軽には、接続部を絶縁ビニルテープで巻いて蓋うものが行われている。これは、蓋いのための器具が無い場合には、便利であるが、テープ巻き込みの手間があり、複数の線の内、１本だけ巻かなければならない場合には、巻き込み難い不都合があった。図５には、よく使われる市販の防水型コネクタを示す図である。これは、完全防水のためのものである。５−Ａでその作用を説明する。５０１は、左側からの電線であり、その先には円形の穴のある端子が付いている。５０２は、右側からの電線であり、同様にその先には、円形の穴のある端子が付いている。先ず、電線を接続するには、両電線５０１、５０２の円形端子の穴をあわせて、これにネジ５０３を通して締めることで、接続する。しかる後に、キャップ５０４を電線の接続部をカバーするように移動する。キャップ５０４の両端にはオスネジ部５０５、５０６が施してある。従って、左側メスネジ５０７部と右側メスネジ５０８部をオスネジ部５０５、５０６に締めこむことで、コネクタ全体の接続作業が完成する。これは、オスネジ部５０５、５０６、メスネジ部５０７、５０８部の接触により、水を通さない防水構造になっている極めて優れた構造である。然しながら、防水構造は不必要である用途には、ねじ込みは、余分な作業であり、構造が複雑なので、コスト高となって不都合である。この他にも、防水材やゴムキャップによる防水コネクタの例が、特許文献１、特許文献２に示されているが、図５より簡易な構成となっているが、やはり、防水が必須でない環境に使える、さらに簡易な構成のコネクタが要望されている。特許文献３では、２本の電線を被覆部の付いたままで、平行に配設し、両者に跨って突起のある導体を設けた構成が示されている。ここでは、この導体を押し付けて、突起を電線の被覆部に差し込み、中の電線と接触させることで、両電線間の接触導通を得るものである。しかしながら、この構成は、電流をあまり流さない低電流回路には使えるが、大電流を流すために接触面積を大きく取る場合には、不都合となる。
【特許文献１】特開２００２−２１６８９０
【特許文献２】特開平７−９４２３７
【特許文献３】特開２００２−７５４８３
【発明の開示】
【発明が解決しようとする課題】
【０００３】
本発明の課題は、以上の説明でも分かるように、防水が必須でない環境での使用に便利で、１個の締め付け部により、簡単に取り付け外しが可能で、接続部のカシメ処理を不要とした絶縁カバー付の電線接続コネクタを提供することである。
【課題を解決するための手段】
【０００４】
本発明による電線コネクタは、接続される電線に沿って跨って配置され、且つ、コネクタカバーの締め付けによる押圧に対応して柔軟性をもって変形することで電線に密接触するところの柔軟性導電性の接続介助体と、柔軟性導電性の接続介助体を内包する電線内挿用溝を有し、且つ、電線内挿用溝を向き合わせるように存在する上下のカバーと、上下のカバーを押し付けるように締め付ける締め付け部とを有している。以下説明する。
【０００５】
請求項１記載の発明は、電線コネクタであって、電線コネクタに内挿されることで接続される複数の電線に沿って跨って配置され、且つ、前記電線コネクタのカバーの締め付けによる押圧に対応して柔軟性をもって変形することで前記電線に密接触するところの柔軟性導電性の接続介助体と、前記接続介助体を内包する電線内挿用溝を有し、且つ、前記電線内挿用溝を向き合わせるように存在する上側及び下側の前記カバーと、上側及び下側の前記カバーを押し付けるように締め付ける締め付け部とを有することを特徴とする。
【０００６】
請求項２記載の発明は、請求項１記載の電線コネクタにおいて、前記接続介助体は、金属の薄板または細線による網で構成されていることを特徴とする。これにより電気的接続が達成される。
【０００７】
請求項３記載の発明は、請求項１記載の電線コネクタにおいて、前記接続介助体は、金属の薄板または細線による網による第１接続介助体と、第１接続介助体をカバーする第２接続介助体と、第１接続介助体と第２接続介助体の間に挿入された柔軟性を有する変形体を有することを特徴とする。これにより、異径の電線の接続において径の差異の範囲を大きく取れる。
【０００８】
請求項４記載の発明は、請求項３記載の電線コネクタにおいて、前記第２接続介助体は、円筒状又は、矩形枡或いは方形筒状の形状をしていることを特徴とする。
【０００９】
請求項５記載の発明は、請求項１から請求項４のいずれか一つに記載の電線コネクタにおいて、前記電線内挿用溝の前記電線の被覆部が当たる部分には、前記電線の被覆部に噛み込む爪または刃状の突起部を有するか、又は、前記電線の被覆部と摩擦接触をする凹凸部を有することで、電線がすべり抜けることを防止するための噛みこみ部を有することを特徴とする。電線の接続の信頼性が確保できる。
【００１０】
請求項６記載の発明は、請求項１から請求項５のいずれか一つに記載の電線コネクタにおいて、前記電線内挿用溝は、円形、又は半形状のひし形、又は半形状の４５度傾斜方形、又は矩形の断面形状を有することを特徴とする。
【００１１】
請求項７記載の発明は、請求項１から請求項６のいずれか一つに記載の電線コネクタにおいて、上側及び下側の前記カバーに、前記カバーの変形を防止する強化板を付設したことを特徴とする。これにより、温度上昇や押し圧に対する強度が得られる。
【００１２】
請求項８記載の発明は、請求項１から請求項７のいずれか一つに記載の電線コネクタにおいて、上側の前記カバーは、前記電線ごとに個別に存在する第１のカバーと、前記締め付け部の操作による押し圧を受けて締め付けられる第２のカバーを有し、前記第１のカバーと前記第２のカバーの間隔は、両者の間に介挿された柔軟性を有する変形体により自在になることで、異なる径を有する前記電線を接続することを可能としたことを特徴とする。これにより異径電線への対応が出来る。
【発明の効果】
【００１３】
以上の様に構成されているので、本発明の電線コネクタにおいては、電線の被覆部を剥がし露出しただけで、接続部のカシメもすることなく、１個の締め付け部を締め付けるだけで簡単に電線を接続ができ、感電防止を確実にできる。
【発明を実施するための最良の形態】
【００１４】
発明を実施するための最良の形態として提案するものであって、本発明による電線コネクタは、接続される電線に沿って跨って配置され、且つ、コネクタカバーの締め付けによる押圧に対応して柔軟性をもって変形することで電線に密接触するところの柔軟性導電性の接続介助体と、柔軟性導電性の接続介助体を内包する電線内挿用溝を有し、且つ、電線内挿用溝を向き合わせるように存在する上下のカバーと、上下のカバーを押し付けるように締め付ける締め付け部とを有することを特徴としている。以下、説明する。
【００１５】
図１は、本発明による電線コネクタの一実施態様を説明する斜視図である。
接続介助体１０１は、この例では、導電性のある好ましくは金属の薄板や細線による網からなり、電線被覆部１０２を剥がした先端部の電線１０３が挿入されるようにパイプ状になっている。接続介助体１０１は、１−Ｂに示す中空パイプを縦に割った形状や、図２で詳述する形状が可能である。即ち、二つの電線１０３が一直線上に接続したい場合には、むき出しの電線１０３を覆うように接続介助体１０１が位置することになる。
１０４は、コネクタのカバーであって、１０４Ｕが上側カバー、１０４Ｄが下側カバーである。上側及び下側のカバー１０４Ｕ、１０４Ｄには、各々、接続介助体１０１を内包するための電線内挿用溝１０５が配設され、上下に対向している。更に、上側及び下側のカバー１０４Ｕ、１０４Ｄには、両者をネジ締めにより締め付けるための締め付け部１０６が示されている。締め付け部１０６を回転させると、ネジ込みによって上側及び下側のカバー１０４Ｕ、１０４Ｄが閉めこまれたり、反対に開放されたりする。勿論、締め付け部１０６は、ネジ締め以外の手段を用いることも可能である。上側及び下側のカバー１０４Ｕ、１０４Ｄが閉めこまれると、接続介助体１０１が押圧され、変形して電線１０３に密接触する結果、接触面積を大きく取ることが出来る。ここで、接続具のカシメも必要でなく、回転は、締め付け部１０６の１箇所のみであり、使用が簡単になっている。尚、電線内挿用溝１０５の電線被覆部１０２が当たる部分には、電線被覆部１０２に噛みこんで、電線がすべり抜けることを防ぐための噛みこみ部１０７を設けると電線の抜け防止が図れる。ａ−ａで切った断面を１−Ｃに示すが、噛みこみ部１０７としては、摩擦接触をするように多数のギザギザの形状を持った凹凸部１０７Ｕか、電線被覆部１０２に噛みこむ１個以上の爪または刃状の突起部１０７Ｄが使用できる。尚、上側及び下側のカバー１０４Ｕ、１０４Ｄを熱などに弱いプラスチックなどで構成した場合には、これに金属等の強化板１０８を付設することが好ましい。これは、ねじ込みによる押圧に耐える耐性を上側及び下側のカバー１０４Ｕ、１０４Ｄに与えることが出来る。図１では、電線内挿用溝１０５が２つあって、それぞれ毎に２つの電線を接続できる構成のものである。１−Ｄには、電線内挿用溝１０５の周辺を示している。電線内挿用溝１０５の断面形状が矢印の部分に見る如く、ａ：（半）円形、ｂ：（半）ひし形又は４５度傾斜方形、ｃ：矩形の例を示している。又、図１のように２系統の電線接続が出来る場合には、両者間を電気的に接続することで、分岐接続も可能となる。
【００１６】
図２は、本発明による電線コネクタで使用する接続介助体１０１の実施態様を説明する図である。２−Ａにおいて、ａ−ａで切って矢印方向から見た断面図を下に示す。接続介助体２０１は、図１の１０１と同じであって、例えば、中空のチューブを二枚の割った形状で、押圧に対して変形する柔軟な金属の金網で構成されている。２−Ｂでは、接続介助体２０１は、中空状のチューブの形状をしている。２−Ｃでは、２−Ａの形状を更に分割を多くした形状を示す。分割同士の間隔があるため、大きな変形に対応できる。２−Ｄは、電線を並列に配置して接続するための接続介助体２０１となっている。この場合には、分岐接続に使用することが出来る。２−Ｅには、異径の電線に対応するように接続介助体２０１が異径となっている。これに対応しては、カバー１０４の電線内挿用溝１０５の形状を対応して変えなければならない。異径の中でも比較的小範囲の異径変位に対応する。２−Ｆでは、接続介助体２００自体が、更に大きな範囲の異径変位に対応するように、導体部分の接続介助体２０１とそれを蓋うように配置された接続介助体カバー２０２とその間に介助するプラスチック曲片、バネ等の柔軟性を有する変形体２０３を有していて、ａ−ａで切った断面を矢印方向から除いた断面を２−Ｇに示している。ここで気づくことは、変形体２０３の自由な変形によって、大きな範囲の異径変位に対応することが出来る。２−Ｆは、接続介助体カバー２０２が円筒状をしていることである。２−Ｈでは、接続介助体カバー２０２が矩形枡或いは方形筒状をしている。断面形状は、２−Ｇに示すものと同じである。尚、接続介助体２０１と接続介助体カバー２０２は、変形を容易にするために、２−Ｃに示すものと同様に適当な溝や分離部を切っておくことも有効である。２−Ｆの接続介助体２００は、図１の１−Ｄのａの円形の電線内挿用溝１０５に組み合わせて使用される。２−Ｈの接続介助体２００は、図１の１−Ｄのｂのひし形又は４５度傾斜方形、又は、４５度回転を戻して、ｃの矩形の電線内挿用溝１０５に組み合わせて使用される。特に、図１の１−Ｄのｂのひし形又は４５度傾斜方形と組み合わせた場合には、上下のカバー間の押し圧が接続介助体カバー２０２の面に直角に均等に働いて、全体から中心に向かって、導体部分の接続介助体２０１を締め付ける利点がある。接続介助体２０１の形状を円形断面の電線の形状に合わせ円形断面で示したが、この形状にこだわるものではない。尚、請求の範囲においては、導体部分の接続介助体２０１を第１接続介助体、接続介助体カバー２０２を第２接続介助体と表現することにする。
【００１７】
図３は、本発明による電線コネクタの他の実施態様を説明する斜視図である。図１との違いは、電線内挿用溝１０５が１個であり、２つの電線の接続用の例となっている。又、上側及び下側のカバー１０４Ｕ、１０４Ｄの端を接続する接続部３０１が付いていて、締め付け部１０６の締め付けを補助している。
【００１８】
図４は、本発明による電線コネクタの他の実施態様を説明する斜視図である。図３との違いは、接続部３０１がないこと。異径の電線の接続が容易なように、締め付けが電線ごとに別にできるように構成したことである。即ち、上側カバーは、電線ごとに個別に存在し、４０４Ａ、４０４Ｂとなっている。各々には、電線内挿用溝４０５Ａ、４０５Ｂが付いている。上側のカバー４０４Ａ、４０４Ｂには、各々、上下移動を介助する移動柱４０６Ａ、４０６Ｂが付いていて、それにバネ等の柔軟性を有する変形体４０７Ａ、４０７Ｂが通してあり、更に、移動柱４０６Ａ、４０６Ｂは、共通の上側カバー１０４Ｕの穴４０８Ａ、４０８Ｂに移動自在にはめ込まれている。締め付け部１０６にもバネ等の柔軟性を有する変形体４０９が付設している。締め付け部１０６を締め付けると、上側カバー１０４Ｕが下側カバー１０４Ｄ側に押し込まれて、上側カバー１０４Ｕが変形体４０７Ａ、４０７Ｂを押し、その結果、上側のカバー４０４Ａ、４０４Ｂが押し込まれ、各々の接触する電線の径に対応した位置まで別々に押し込まれてので、径の異なる電線の接続に対応することが出来る。尚、請求の範囲においては、電線ごとに個別に存在する上側カバー４０４Ａ、４０４Ｂに対応して第１のカバー、共通の上側カバー１０４Ｕに対応して第２のカバーと表現することにする。
【産業上の利用可能性】
【００１９】
以上に説明したように、１個の締め付け部の操作のみで、簡単に電線の接続ができるので、余計な工具等を持参しなくてもよく、産業上利用して極めて便利である。
【図面の簡単な説明】
【００２０】
【図１】本発明による電線コネクタの一実施態様を説明する斜視図である。
【図２】本発明による電線コネクタで使用する接続介助体の実施態様を説明する図である。
【図３】本発明による電線コネクタの他の実施態様を説明する斜視図である。
【図４】本発明による電線コネクタの他の実施態様を説明する斜視図である。
【図５】従来のよく使われる市販の防水型コネクタを示す図である。
【符号の説明】
【００２１】
１０１、２００、２０１  接続介助体
１０２  電線被覆部
１０３  電線
１０４  コネクタのカバー
１０４Ｕ、４０４Ａ、４０４Ｂ  上側カバー
１０４Ｄ  下側カバー
１０５、４０５Ａ、４０５Ｂ  電線内挿用溝
１０６  締め付け部
１０７  噛みこみ部  １０７Ｕ  凹凸部    １０７Ｄ  突起部
１０８  強化板
２０２  接続介助体カバー
２０３、４０７Ａ、４０７Ｂ、４０９  変形体
３０１  接続部
４０６Ａ、４０６Ｂ  移動柱
４０８Ａ、４０８Ｂ  穴
【図１】
2007109527.tif 000003
【図２】
2007109527.tif 000004
【図３】
2007109527.tif 000005
【図４】
2007109527.tif 000006
【図５】
2007109527.tif 000007